(57)【特許請求の範囲】
【請求項１】
ペットが排出する糞尿等の汚物を下水に流して処理する屋外設備であって、該汚物を投入し得る上開きの開閉蓋付の投入口を有する垂直に起立された筒状の投入孔と、該投入孔内に給水し得る給水装置と、前記投入孔に投入された汚物を下水管に流出し得る排水設備とより構成され、前記投入孔が地面より突出して配置されたことを特徴としたペット汚物の廃棄処理設備。
【請求項２】
前記投入孔の下部に、投入された汚物を一時的に仮溜し得る仮溜場を設け、かつ該投入孔と仮溜場との間に前記給水装置の給水吐出口を設けて構成したことを特徴とした請求項１に記載のペット汚物の廃棄処理設備。
【請求項３】
前記給水吐出口以降において、前記投入孔の下部、或はこれに続く排水横管始点近傍、またはこれ等の投入孔の下部と排水横管始点近傍の両方の内径を狭くして流路を絞って構成し、前記仮溜場を内径が狭くなった流路に設けたことを特徴とした請求項２に記載のペット汚物の廃棄処理設備。
【請求項４】
前記投入孔の下部とこれに続く前記排水横管始点近傍との間に内径を狭くして流路を絞ったエルボを配置連結して構成したことを特徴とした請求項３に記載のペット汚物の廃棄処理設備。
【請求項５】
前記給水装置の一部にトラップ機構を設けて構成したことを特徴とした請求項１乃至請求項４何れかに記載のペット汚物の廃棄処理設備。
【発明の詳細な説明】
【０００１】
【発明の属する技術分野】
本発明は、ペットが排出する糞尿等の汚物を容易かつ効率良く下水に排出して処理することが可能なペット汚物の廃棄処理設備に係り、特に屋外に簡単に設置することが出来、かつ体裁が良く、しかも衛生的なペット汚物の廃棄処理設備に関するものである。
【０００２】
【従来の技術】
従来は一般的に、散歩中に用便して排出された犬の糞尿等の汚物は、例えば後述の特許文献１に示す如く、飼い主が自宅に持ち帰り、自宅のトイレに流したり、排水ますの蓋を開けてこの中に捨てたり、或は前記汚物を紙に包んで一般の燃えるゴミと一緒にゴミの集荷場に出す等の方法が取られていた。
【０００３】
【特許文献１】
特開平１１−２８５３２８号公報
【０００４】
【発明が解決しようとする課題】
しかし、前述のような処理方法に於いて、自宅のトイレに流す場合には、一旦家の中に持ち込まなければならず、かつトイレのドアやトイレの蓋を順に開いて処理しなければならないので、面倒があると共に家内に悪臭が漂う心配がある等の問題があった。
【０００５】
また、排水ますに捨てる場合には、極めて重く開閉が面倒な排水ますの蓋をその都度動かさなければならず、かつ捨てられた汚物が、台所等から排水ますに排水しない場合には、排水ますの底部にそのまま残存するので不衛生である等の問題があった。
【０００６】
かつ、汚物を紙に包んで一般の燃えるとゴミと一緒に集荷場に出す場合には、悪臭が紙を通して外部にもれるので、汚物を紙で幾重にも包まなければならず、手数がかかると共に、燃えるゴミの集荷日迄は家の内外に設置されたゴミ箱に収納しなければならない等の問題があった。
【０００７】
さらに、ペットの飼い主にとっては、前述のように程々の処理方法を実施しても、手間がかかり、これ等の問題を根本的に解決する手段がないために、心無い飼い主はペットが排出した汚物をそのまま放置してしまうので、公衆衛生の問題に発展することもあった。
【０００８】
本発明に係るペット汚物の廃棄処理設備は、前述の従来の問題点に鑑み開発された全く新規なペット汚物の廃棄処理設備を提供するものであって、特に、ペットの汚物を投入孔から捨てることが出来、かつ給水装置より仮溜場に給水される水によって汚物を効率良くスムーズに下水管に流出させるようにした技術を提供するものである。
【０００９】
【課題を解決するための手段】
本発明に係るペット汚物の廃棄処理設備の第１発明の要旨は、ペットが排出する糞尿等の汚物を下水に流して処理する屋外設備であって、該汚物を投入し得る上開きの開閉蓋付の投入口を有する垂直に起立された筒状の投入孔と、該投入孔内に給水し得る給水装置と、前記投入孔に投入された汚物を下水管に流出し得る排水設備とより構成され、前記投入孔が地面より突出して配置されたことを特徴としたペット汚物の廃棄処理設備である。
【００１０】
前述の第１発明に於いては、屋外に地面より突出して配置された投入孔を設けたことにより、散歩から帰ってきた際に、ペットの汚物を投入孔の中に簡単に投入することが出来る。この投入孔に投入されたペットの汚物は、給水装置を作動させて投入孔に給水することによって、排水設備を介して容易に下水管に流出させることが出来る。
【００１１】
また、第１発明のペット汚物の廃棄処理設備に於いては、前記投入孔の入口に開閉蓋を設けて構成したので、未使用時には、投入孔が開閉蓋によって閉止されているので、下水道本管の臭いが逆流したり、漏れたりする心配がない。かつ、ペットの汚物を投入した後も、直ちに投入孔を開閉蓋で閉止出来るので、臭いが外部に漏れる心配がなく衛生的である。
【００１２】
本発明に係るペット汚物の廃棄処理設備の第２発明の要旨は、前記投入孔の下部に、投入された汚物を一時的に仮溜し得る仮溜場を設け、かつ該投入孔と仮溜場との間に前記給水装置の給水吐出口を設けて構成したことを特徴とした第１発明のペット汚物の廃棄処理設備である。
【００１３】
前述の第２発明のペット汚物の廃棄処理設備に於いては、投入孔の下部に汚物の仮溜場を設けて構成したので、投入孔に投入された汚物をこの仮溜場に一時的に仮溜させることが出来る。かつ該投入孔と仮溜場との間に吐出口を設けたので、前記給水装置の作動によって、投入孔内に流入される給水をして、該汚物を下水管に流出させることが出来る。また、流してはいけないペット汚物以外の物を誤って投入孔に落とした場合、この仮溜場から回収することが出来る。
【００１４】
本発明のペット汚物の廃棄処理設備の第３発明の要旨は、前記給水吐出口以降において、前記投入孔の下部、或はこれに続く排水横管始点近傍、またはこれ等の投入孔の下部と排水横管始点近傍の両方の内径を狭くして流路を絞って構成し、前記仮溜場を内径が狭くなった流路に設けたことを特徴とした第２発明のペット汚物の廃棄処理設備である。
【００１５】
前述の第３発明のペット汚物の廃棄処理設備に於て、前記給水吐出口以降において、前記投入孔の下部（垂直部）の内径を狭くして流路を絞って構成した場合には、投入孔内に供給される水を集約させて汚物の押し出し力を増すことが出来、これによって少流量によって効果的に汚物を押し出すことが出来る。従って、仮溜場に仮留されている汚物を強い力で下水管に流すことが出来る。
【００１６】
また、前記投入孔の下部に続く排水横管始点近傍の内径を狭くして流路を絞った場合には、供給される水による水深をより大きくして汚物に浮力を与えることが出来、これによって少流量でありながら汚物搬送力を増すことが出来る。
【００１７】
さらに、前記投入孔の下部および排水横管始点近傍の内径を狭くして流路を絞った場合には、投入孔に供給される少量の水で汚物を横管に強く押し出すとともに、横管では浮力を与えながら強い力で汚物を確実かつ効率良く下水管に流すことが出来る。従って、配管途中に汚物が残ることを防ぎ、かつ配管の目詰りを防止することが出来る。
【００１８】
本発明に係るペット汚物の廃棄処理設備の第４発明の要旨は、前記投入孔の下部とこれに続く前記排水横管始点近傍との間に内径を狭くして流路を絞ったエルボを配置連結して構成したことを特徴とした第３発明のペット汚物の廃棄処理設備である。
【００１９】
前述の第４発明に於ては、内径を狭くして流路を絞ったエルボを使用し、このエルボを投入孔の下部とこれに続く排水横管始点近傍との間に配置して連結するので、投入孔の下部或は排水横管始点近傍の流路を簡単かつ安価に絞った構造に構築することが出来る。
【００２０】
本発明に係るペット汚物の廃棄処理設備の第５発明の要旨は、前記給水装置の一部にトラップ機構を設けて構成したことを特徴とした第１発明〜第４発明の何れかのペット汚物の廃棄処理設備である。
【００２１】
前述の第５発明のペット汚物の廃棄処理設備に於ては、前記給水装置の一部にトラップ機構を設けて構成したので、汚臭による上水汚染を防止出来る。また、給水接続部に大気開放部を構築することによって、万一の排水管詰まりが発生した場合でも汚水の上水への混入、逆流を防ぐことが出来る。
【００２２】
【発明の実施の形態】
図により本発明に係るペット汚物の廃棄処理設備の実施例を具体的に説明すると、図１は本発明の第１実施例の処理設備の一部断面説明図。図２は本発明の第２実施例の処理設備の斜視説明図。図３は図２の要部の一部断面説明図。図４は比較例の処理設備の説明図である。
【００２３】
図５は本発明の第３実施例の処理設備の要部の簡略説明図、図６は第３実施例を具体化した処理設備の説明図、図７はトラップ機構の簡略説明図、図８は第３実施例の具体的数値を示す説明図である。
【００２４】
図１に於いて、本発明の第１実施例の処理設備について説明すると次の通りである。１は所定の内径を有するパイプ状の投入管であって、その上部を除く大半は地中２内に垂直に埋設されている。
【００２５】
３は地中２に深く埋設された下水管であって、この下水管３と前記投入管１の下部との間には、排水管４が所定の傾斜を保って埋設されている。投入管１と排水管４との接続下部には、ペットの排出した汚物５を一時的に仮溜し得る仮溜場６が設けられている。
【００２６】
前記投入管１の汚物５を投入し得る投入孔の入口には開閉蓋７が設けられており、この開閉蓋７は支軸８を中心にして手動で開閉し得るように構成されている。
【００２７】
９は給水管であって、前記投入管１に沿ってほぼ垂直に地中２に埋設されており、その給水管９の下端部は前記仮溜場６の近傍に開口された給水吐出口１０を形成している。
【００２８】
１１は屋外に起立された給水柱であって、その上側面には給水用蛇口１２が取付けられており、かつこの給水用蛇口１２と前記給水管９の上端部との間にはホース１３が連結されている。
【００２９】
本発明に係る第１実施例のペット汚物の廃棄処理設備は、図１に示すように、投入管１を地中２に垂直に埋設したので、この投入管１の投入孔にペットが排出した汚物５を投入すると共に、該投入孔は開閉蓋７で直ちに閉鎖することが出来る。
【００３０】
投入孔より投入された後で仮溜場６に仮溜している汚物５は、給水柱１１に設けられた給水用蛇口１２を開栓してホース１３より給水管９に給水することによって、その下端部の給水吐出口１０より水を強く噴出させて排水管４を通って下水管３に排出することが出来る。
【００３１】
続いて、図２及び図３（ａ），（ｂ）によって本発明の第２実施例の処理設備を説明すると、次の通りである。１４は地中２に垂直に埋設された投入管であって、その下端部には所定の傾斜を保って埋設された排水管１５が連結されている。
【００３２】
前記投入管１４の上部の地上露出部分の周りにはカバー１６が設けられており、このカバー１６の上端縁には開閉蓋１７がヒンジ部１８を介して開閉自在に取付けられている。
【００３３】
この開閉蓋１７は、昇降アーム１９によって下方から支持されている。該昇降アーム１９の下端に連結された水平アーム２０の先端のペダル２１を踏むことによって、昇降アーム１９は支点２２を中心にして昇降し、前記開閉蓋１７を開閉し得るように構成されている。
【００３４】
２３は給水用のフラッシュバルブであって、投入管１４の側方に取付けられ、かつカバー１６より露出して設けられている。２４はバキュームブレーカーであって、給水管２５を介してフラッシュバルブ２３に連結されており、かつ給水管２５の先端部は給水吐出口２６を形成しており、投入管１４の内面に開口されている。
【００３５】
この給水吐出口２６は、図に示すように、投入管１４に対して斜めに取付けられており、フラッシュバルブ２３の作動によって給水吐出口２６より噴出される水を投入管１４の投入孔に渦流となって流出させることが出来るように構成されている。
【００３６】
従って、第２実施例に於いては、前述の構成を有するので、足でペダル２１を踏むことによって開閉蓋１７を自動的に開くことが出来、かつペット汚物（図示せず）を投入管１４内に投入した後でペダル２１から足を離すことによって、開閉蓋１７を自動的に閉じることが出来る。
【００３７】
その後、フラッシュバルブ２３を作動することによって、給水吐出口２６より投入管１４の内周面に水を斜め方向に噴出することによって、投入管１４内に渦流を発生させながら流下させて、投入管１４内に投下されたペット汚物を排水管１５より下水管に流出させることが出来る。第２実施例に於いては、吐出口２６より投入管１４内に噴出した水に渦流を生じさせることが出来るので、この渦流によって投入管１４の内面を常に清掃することが出来、かつ大きな重量のあるペット汚物もスムーズに流出させることが出来る。
【００３８】
図４によって本発明に対する比較例の処理設備を説明すると、次の通りである。この比較例の場合には、ペットの足洗い場と兼用する方式である。
【００３９】
図に於いて、２７は地表に設置されたガーデンパン式の洗い場であって、この洗い場２７の中央にはペット汚物を投入し得る投入穴２８が深く設けられ、かつこの投入穴２８の低部には、図示しない下水管に連設された排水溝２９が設置されている。該投入穴２８の入口には開閉蓋３０が着脱自在に取付けられている。
【００４０】
また、洗い場２７の隅部には前記排水溝２９の先端部が開口されており、かつその開口部２９ａには水抜皿３１が設けられている。３２は洗い場２７に沿って起立された給水柱であって、その側面には給水ノブ３２ａ及びペットの足等を洗浄し得るシャワーヘッド３３が取付けられている。
【００４１】
比較例の処理設備に於いては、前述の構成を有しているので、ペットの汚物は洗い場２７の中央に設けた投入穴２８より排水溝２９に投棄することが出来、かつ投入穴２８は開閉蓋３０で直ちに閉鎖することが出来る。
【００４２】
排水溝２９内に投棄されたペット汚物は、洗い場２７内でペットの洗浄に使用された水を利用し、この水を水抜皿３１より流出させることによって、排水溝２９に連設された下水管に排出することが出来る。ペット汚物を流出させるために所定の水量を必要とする場合には、洗い場２７内に一定量の水を溜めておき、水抜皿３１より一気に流水することで実施することが出来る。
【００４３】
図５及び図６に於て、本発明の第３実施例の処理設備を説明すると、次の通りである。この第３実施例は、前記第１実施例に於ける投入管１及び配水管４の流路を絞って構成した構造に関するものである。
【００４４】
図５に於て、垂直に起立された投入管３４の下部３４ａ及びこれに続く水平に配管された配水管３５は、内径を狭くして流路が絞られて構成されている。このように、投入管３４の下部３４ａと配水管３５の内径を狭くして流路を絞った場合には、前述のように投入管３４に供給される少量の水で汚物５に浮力を与えながら下水管３に効率良く強力に流すことが出来る。
【００４５】
第３実施例に於て、投入管３４の下部３４ａの流路を絞った場合には、投入管３４に供給される水を集約させて汚物の押し出し力を増加させることが出来る。また、配水管３５の流路を絞った場合には、水深を大きくして汚物に浮力を与えることが出来る。従って第３実施例を実施した場合には、少量の水で汚物５を効率良く下水管３に流すことが出来る。
【００４６】
前記第３実施例に於て、投入管３４の下部３４ａと配水管３５との流路を夫々絞った実施例を、具体的に記述すると次の通りである。
【００４７】
即ち、図８に於て、投入管３４の上部の内径は１５０ｍｍであるのに対し、投入管３４の吐出口（図示せず）以降の投入管３４の下部３４ａの内径は１００ｍｍに絞られ、かつ、該下部３４ａからエルボを通って配水管３５の始点近傍以降の内径は７５ｍｍに絞られて構成されている。
【００４８】
図６に示す実施例は、前記図５の第３実施例をより具体化したものであって、この実施例に於ては、垂直部から水平部に行くに従って、その内径が徐々に狭くなるように流路が絞られた大曲りエルボ３６が使用され、この大曲りエルボ３６が夫々投入管３４及び配水管３５に連結されている。このような大曲りエルボ３６を使用すれば、現場に於ける施工を簡単かつ安価に実施することが出来る。
【００４９】
次に、図７に於て、給水装置側に設けた大気開放式のトラップ機構の実施例を説明すると、次の通りである。
【００５０】
即ち、３７は大きな内径を有する投入管であって、その開口部には取っ手３８を有する開閉蓋３９が支軸４０を支点として自在に開閉し得るように取付けられている。この開閉蓋３９の所定位置には、気密性を保つ為にスポンジゴム４１が取付けられている。
【００５１】
４２は給水装置であって、給水吐出口４３を介して前記投入管３７の側部に連結されている。前記給水装置４２の上部にはトラップ機構４４が構築されている。このトラップ機構４４は、給水管４５、目皿４６、漏斗管４７及び受カップ４８より構成されている。
【００５２】
前述のトラップ機構４４は、給水管４５より供給された水が漏斗管４７を通って受カップ４８に流入し、受カップ４８から水をあふれさせて、前記給水吐出口４３に流下し得るように構成されている。従って、投入管３７からの汚臭が給水側に流入して上水が汚染されることを防止出来る。さらに、万一排水管に汚物が詰って汚水が逆流した場合にも、前記目皿４６からオーバーフローさせて、給水管４５内に汚水が侵入することを防止出来る。
【００５３】
前述のトラップ機構４４は、大気開放構造となっているので、投入管３７より侵入する汚臭や小動物等が上水側に侵入して汚染されることを防止すると共に、排水管側に目詰が生じた場合にも、目皿４６より汚水を自動的に排出して、上水側が汚染することを防止出来る。
【００５４】
前記図８においては、投入孔下部で流路を絞り、さらにこれに続くエルボで流路を絞っている。このように２段で絞ることが好ましい。即ち、投入孔下部の絞りでは流速をあげて押出力を高め、さらに、エルボの絞りでは汚物を浮かせてより確実に流すことが可能な如く構成されている。
【００５５】
【発明の効果】
本発明のペット汚物の廃棄処理設備に於いては、屋外に投入孔を設けたことにより、散歩から帰ってきた際に、ペットの汚物を投入孔の中に簡単に投入することが出来る効果を有している。この投入孔に投入されたペットの汚物は、給水装置を作動させて投入孔に給水することによって、排水設備を介して容易に下水管に流出させることが出来る効果も有している。
【００５６】
また、本発明に於いては、前記投入孔の入口に開閉蓋を設けて構成したので、未使用時には、投入孔が開閉蓋によって閉止されているので、下水道本管の臭いが逆流したり、漏れたりする心配がない。かつ、ペットの汚物を投入した後も、直ちに投入孔を開閉蓋で閉止出来るので、臭いが外部に漏れる心配がなく衛生的である。
【００５７】
本発明に於いて、投入孔の途中に汚物の仮溜場を設けて構成した場合、投入孔に投入された汚物をこの仮溜場に一時的に仮溜させることが出来る効果を有している。かつ該投入孔と仮溜場との間に吐出口を設けた場合、前記給水装置の作動によって、投入孔内に流入される給水をして、該汚物を下水管に流出させることが出来る効果も有している。また、流してはいけないペット汚物以外の物を誤って投入孔に落とした場合、この仮溜場から回収することが出来る効果もある。
【００５８】
本発明に於て、前記給水吐出口以降において、前記投入孔の下部（垂直部）の内径を狭くして流路を絞って構成した場合には、投入孔内に供給される水を集約させて汚物の押し出し力を増すことが出来、これによって少流量によって効果的に汚物を押し出すことが出来る効果を有している。従って、仮溜場に仮留されている汚物を強い力で下水管に流すことが出来る効果がある。
【００５９】
また、前記投入孔の下部に続く排水横管始点近傍の内径を狭くして流路を絞った場合には、供給される水による水深をより大きくして汚物に浮力を与えることが出来、これによって少流量でありながら汚物搬送力を増すことが出来る効果も有している。
【００６０】
さらに、前記投入孔の下部および排水横管始点近傍の内径を狭くして流路を絞った場合には、投入孔に供給される少量の水で汚物を横管に強く押し出すとともに、横管では浮力を与えながら強い力で汚物を確実かつ効率良く下水管に流すことが出来る効果を有している。従って、配管途中に汚物が残ることを防ぎ、かつ配管の目詰りを防止することが出来る効果がある。
【００６１】
本発明に於て、内径を狭くして流路を絞ったエルボを使用し、このエルボを投入孔の下部とこれに続く排水横管始点近傍との間に配置して連結した場合、投入孔の下部或は排水横管始点近傍の流路を簡単かつ安価に絞った構造に構築することが出来る効果を有している。
【００６２】
本発明に於て、前記給水装置の一部にトラップ機構を設けて構成した場合、汚臭による上水汚染を防止出来る効果を有している。また、給水接続部に大気開放部を構築することによって、万一の排水管詰まりが発生した場合でも汚水の上水への混入、逆流を防ぐことが出来る効果も有している。
【図面の簡単な説明】
【図１】  本発明の第１実施例の処理設備の一部断面説明図である。
【図２】  本発明の第２実施例の処理設備の斜視説明図である。
【図３】  図２の要部の一部断面説明図である。
【図４】  比較例の処理設備の説明図である。
【図５】  本発明の第３実施例の処理設備の要部の簡略説明図である。
【図６】  第３実施例を具体化した処理設備の説明図である。
【図７】  トラップ機構の簡略説明図である。
【図８】  第３実施例の具体的数値を示す説明図である。
【符号の説明】
１・・・投入管
２・・・地中
３・・・下水管
４・・・排水管
５・・・汚物
６・・・仮溜場
７・・・開閉蓋
８・・・支軸
９・・・給水管
１０・・・給水吐出口
１１・・・給水柱
１２・・・給水用蛇口
１３・・・ホース
１４・・・投入管
１５・・・排水管
１６・・・カバー
１７・・・開閉蓋
１８・・・ヒンジ部
１９・・・昇降アーム
２０・・・水平アーム
２１・・・ペダル
２２・・・支点
２３・・・フラッシュバルブ
２４・・・バキュームブレーカー
２５・・・給水管
２６・・・給水吐出口
２７・・・ガーデンパン式の洗い場
２８・・・投入穴
２９・・・排水溝
２９ａ・・・開口部
３０・・・開閉蓋
３１・・・水抜皿
３２・・・給水柱
３２ａ・・・給水ノブ
３３・・・シャワーヘッド
３４・・・投入管
３４ａ・・・下部
３５・・・配水管
３６・・・大曲りエルボ
３７・・・投入管
３８・・・取っ手
３９・・・開閉蓋
４０・・・支軸
４１・・・スポンジゴム
４２・・・給水装置
４３・・・給水吐出口
４４・・・トラップ機構
４５・・・給水管
４６・・・目皿
４７・・・漏斗管
４８・・・受カップ
【図１】
0003916557.tif 000002
【図２】
0003916557.tif 000003
【図３】
0003916557.tif 000004
【図４】
0003916557.tif 000005
【図５】
0003916557.tif 000006
【図６】
0003916557.tif 000007
【図７】
0003916557.tif 000008
【図８】
0003916557.tif 000009